(57)【特許請求の範囲】
【請求項１】
立設した状態の柱状体の側面と当接可能な受け部を有する基部と、この基部のうち前記受け部を有する側に対して相対的に反対側となる側から延出した単一の支持部と、前記受け部に当接可能な前記柱状体の軸方向と前記支持部の延出方向とに対してそれぞれ略垂直方向に前記基部から延出すると共に前記支持部の延出方向と略同じ方向に延びる貫通孔が形成された２つの装着部とを有して構成され、
一方の装着部の延出方向側端から他方の装着部の延出方向側端までの寸法は、前記柱状体の径方向寸法と同じか前記柱状体の径方向寸法よりも小さいことを特徴とする根かせ。
【請求項２】
請求項１に記載の根かせから成る根かせ本体と、補助具と、線状部材とで構成され、前記根かせ本体は、前記基部に対し前記柱状体の軸方向と略同方向に延びて当該基部を貫通する貫通孔が設けられると共に、前記補助具は、前記根かせ本体に装着した際に前記柱状体の軸方向に沿って延びる貫通孔が設けられて、この補助具の貫通孔と前記根かせ本体の基部の貫通孔とを一致させて前記線状部材をこれらの貫通孔の双方に挿通させることで、前記基部のうち前記柱状体の軸方向に沿った側と交差する面に、前記柱状体の軸方向に沿って突出する突起部を有する構成としたことを特徴とする根かせ。
【請求項３】
前記基部に対し当該基部のうち前記柱状体の軸方向と交差する面に突起部を有し、この突起部は前記柱状体の軸方向に沿って突出するように前記基部と一体的に形成されていることを特徴とする請求項１に記載の根かせ。
【請求項４】
弧形状の帯状部と、この帯状部から延出した延出部と、この延出部の先端に形成されて前記受け部の装着部と当接可能な当接部とを有して構成され、前記当接部には前記受け部の装着部との当接時に前記装着部の貫通孔と連通可能な貫通孔が形成されており、前記装着部の貫通孔とこの当接部の貫通孔とに挿通部材を貫通して連結固定することで、前記受け部を前記柱状体に固定することが可能であると共に、前記延出部相互間の幅は、前記柱状体の直径の寸法よりも小さく、請求項１、２又は３に記載の根かせの受け部の側縁間の幅よりも大きいことを特徴とする根かせと柱状体との固定部材。
【発明の詳細な説明】
【技術分野】
【０００１】
この発明は、電柱等の柱状体を建柱する際に、この柱状体が沈下、傾倒、回転等するのを防止するために、地中においてこの柱状体を支持する根かせ、及びこの根かせと電柱等の柱状体とを固定するための固定部材の構造に関するものである。
【背景技術】
【０００２】
従来の例えば電柱と当接した際に、その当接面と沿って且つ電柱の径方向に沿って当該電柱の径方向の両側に延びる２つの支持部を有する構造である、特許文献１に記載の根かせに対し、支持部を一方側のみとして、基部より支持部の先端までの長手方向に沿った寸法を相対的に短縮化することにより、これまで物理的、法的に困難とされてきた場所でも、電柱等に装着して埋設することを図った根かせについては、例えば特許文献２、特許文献３に示されるように公知である。
【０００３】
また、特許文献４に示されるように、電柱に固定される固定側アンカー部材に対し、２つの可動側アンカー部材を取り付け、この可動側アンカー部材が相互に近接し又は離隔することにより、電柱の径方向の外方に向けて突出した突出幅を調整する電柱の回り止め装置も既に公知となっている。
【特許文献１】実開平５−１６８４１号公報
【特許文献２】実用新案登録第３０５８４０４号公報
【特許文献３】特開２００６−１２５０２１号公報
【特許文献４】実開平６−６３６４２号公報
【発明の開示】
【発明が解決しようとする課題】
【０００４】
これに対し、特許文献２及び３に示す構造の根かせにおいても、電柱と当接した際に、その当接面と沿って且つ電柱の径方向に沿って当該電柱よりも外側まで延出した単一の支持部を有する構造となっている。このため、２つのブロック塀で囲まれた敷地の角となる領域、２辺の擁壁に囲まれた角となる領域等の、所定の人工構造物・設備で囲まれた狭い場所に電柱を配置しようとしても、この電柱を支持するための根かせを埋設する際に、この支持部の延出方向端が塀の地中部や擁壁の内側面に当たるため、ブロック塀や擁壁からある程度の距離を確保する必要性が生ずる。従って、２つのブロック塀の角や２辺の擁壁の角に対しギリギリの位置で電柱等の柱状体を設置することができないことが考えられる。
【０００５】
また、特許文献４に示す構造の根かせでは、３つのアンカー部材の組み付けを必要とし、更に、第１のアンカー部材に対し第２及び第３のアンカー部材が近接し離隔する方向にスライドするような機構を有するので、根かせの構造が複雑化して、その製造コストが上昇するという不都合を有する。
【０００６】
そこで、本発明は、従来の根かせでは埋設することができなかった狭い場所でも埋設することができ、しかも、その製造コストの上昇も抑制することができる根かせを提供することを目的とする。
【課題を解決するための手段】
【０００７】
この発明に係る根かせは、立設した状態の柱状体の側面と当接可能な受け部を有する基部と、この基部のうち前記受け部を有する側に対して相対的に反対側となる側から延出した単一の支持部と、前記受け部に当接可能な前記柱状体の軸方向と前記支持部の延出方向とに対してそれぞれ略垂直方向に前記基部から延出すると共に前記支持部の延出方向と略同じ方向に延びる貫通孔が形成された２つの装着部とを有して構成され、一方の装着部の延出方向側端から他方の装着部の延出方向側端までの寸法は、前記柱状体の径方向寸法と同じか前記柱状体の径方向寸法よりも小さいことを特徴としている（請求項１）。ここで、柱状体としては、例えばコンクリート製電柱等の電柱が挙げられるが、道路標識柱、街灯用柱等であっても良い。これは、下記に示す柱状体においても同様である。
【０００８】
そして、根かせと柱状体との固定部材は、弧形状の帯状部と、この帯状部から延出した延出部と、この延出部の先端に形成されて前記受け部の装着部と当接可能な当接部とを有して構成され、前記当接部には前記受け部の装着部との当接時に前記装着部の貫通孔と連通可能な貫通孔が形成されており、前記装着部の貫通孔とこの当接部の貫通孔とに挿通部材を貫通して連結固定することで、前記受け部を前記柱状体に固定することが可能であると共に、前記延出部相互間の幅は、前記柱状体の直径の寸法よりも小さく、請求項１、２又は３に記載の根かせの受け部の側縁間の幅よりも大きいものとなっている（請求項４）。尚、この固定部材の延出部は例えば根かせに向って直線状に延出した形状となっていると共に、当接部は延出部の先端から根かせの受け部側とは反対方向に延出する構成となっている。
【０００９】
このような根かせ並びに根かせと柱状体との固定部材の構成としたことにより、根かせも、固定部材も、柱状体の円周に接し且つ根かせの支持部の延出方向に沿った仮想線を、柱状体を挟む形で引いた場合でも、この仮想線に対し柱状体とは反対側には出る部位を有しないことから、根かせが固定部材を介して柱状体に固定された態様は、柱状体の略直径の幅以内に収められる。これに伴い、２つのブロック塀で囲まれた角地や、２辺の擁壁に囲まれた角地等の狭い場所でも、根かせを２つのブロック塀若しくは２辺の擁壁の角に近接して埋設させることができる。しかも、電柱等の柱状体と根かせの装着部の端部とをブロック塀や擁壁等の人工構造物・設備に略接した状態で、根かせを埋設した場合には、電柱等の柱状体に対して事故等で回転力が加わっても、この人工構造物・設備が回転の規制手段となって、電柱等の柱状体が不用意に回転するのを防止することができる。
【００１０】
そして、この発明に係る根かせは、請求項１に記載の根かせから成る根かせ本体と、補助具と、線状部材とで構成され、前記根かせ本体は、前記基部に対し前記柱状体の軸方向と略同方向に延びて当該基部を貫通する貫通孔が設けられると共に、前記補助具は、前記根かせ本体に装着した際に前記柱状体の軸方向に沿って延びる貫通孔が設けられて、この補助具の貫通孔と前記根かせ本体の基部の貫通孔とを一致させて前記線状部材をこれらの貫通孔の双方に挿通させることで、前記基部のうち前記柱状体の軸方向に沿った側と交差する面に、前記柱状体の軸方向に沿って突出する突起部を有する構成としている（請求項２）。
【００１１】
これにより、請求項１に記載の根かせを根かせ本体として用いながら、埋設時に電柱等の柱状体の軸方向に沿って延びる突起部を有したものとなるので、根かせについて製造コストの上昇を抑制しつつ、この補助具が取り付けられた根かせを装着した電柱等の柱状体について傾倒の防止を図ることができる。
【００１２】
また、この発明に係る根かせは、前記基部に対し当該基部のうち前記柱状体の軸方向と交差する面に突起部を有し、この突起部は前記柱状体の軸方向に沿って突出するように前記基部と一体的に形成されている（請求項３）。これにより、補助具等の取付け作業を不要として、工数の減少を図りつつ、突起部が一体形成された根かせを装着した電柱等の柱状体について傾倒の防止を図ることができる。
【発明の効果】
【００１３】
以上のように、この発明によれば、電柱等の柱状体と根かせの装着部の端部との双方を人工構造物・設備に略接する位置で確実に埋設することが可能であるので、電柱等の建柱位置が近傍の人工構造物・設備との間に電柱等の柱状体の径方向と同じ程度の寸法しか採れない場合でも、根かせを埋設することができ、これに伴って、２つのブロック塀で囲まれた角地や、２つの擁壁に接した角地等の狭い場所でも、根かせを埋設させることができる。
【００１４】
しかも、電柱等の柱状体と根かせの装着部の端部とをブロック塀や擁壁等の人工構造物・設備に略接した状態で、根かせを埋設した場合には、電柱等の柱状体に対して事故等で回転力が加わっても、この人工構造物・設備が回転の規制手段となって、電柱等の柱状体が不用意に回転するのを防止することも可能となる。
【００１５】
特に請求項２に記載の発明によれば、請求項１に記載の根かせを根かせ本体として用いながら、埋設時に電柱等の柱状体の軸方向に沿って延びる突起部を有したものとなるので、根かせについて製造コストの上昇を抑制しつつ、この補助具が取り付けられた根かせを装着した電柱等の柱状体について傾倒の防止を図ることができる。
【００１６】
特に請求項３に記載の発明によれば、補助具等の取付け作業を不要として、工数の減少を図りつつ、突起部が一体形成された根かせを装着した電柱等の柱状体について傾倒の防止を図ることができる。
【発明を実施するための最良の形態】
【００１７】
以下、この発明の実施形態の一例を、実施例１乃至実施例４として、図面に基づいて説明する。尚、この実施例１から実施例４に示される根かせ１が固定される柱状体１０は、円柱状又は円錐台状を成すもので、例えばコンクリート製電柱等の電柱が挙げられるが、道路標識柱、街灯用柱等であっても良いものである。
【実施例１】
【００１８】
図１に示される根かせ１は、例えばコンクリートで形成されたもので、図１（ａ）、図３、図４に示されるように、１の基部２と、１の支持部３と、２つの装着部４、５とで基本的に構成されており、これらの基部２、支持部３、装着部４、５は、この実施例では一体形成されている。
【００１９】
このうち、基部２は、その一方の面２ａにおいて、図１（Ａ）、図１（Ｂ）及び図４に示されるように、図３及び図４に示される柱状体１０のうち地中に埋設される部位の側面と当接可能な円弧状の溝から成る受け部６が形成されている。
【００２０】
支持部３は、図１（Ａ）及び図４に示されるように、基部２のうち受け部６が形成された面２ａの側とは相対的に反対側となる側から延出したもので、この実施例１では柱状体１０の径方向に沿って当該柱状体１０から離れる方向に延出している。そして、この支持部３は、この実施例１では、柱状体１０の軸方向から見た際の幅が延出方向に進むに従い暫時細くなる形状をなしており、基部２も、この支持部３の形状と合うように、支持部３側に向うに従い暫時細くなっている。
【００２１】
装着部４、５は、後述する固定部材１２が固定されるための部位で、図１（Ａ）及び図１（Ｂ）で示されるように、受け部６と当接した状態の柱状体１０の軸方向に対して略垂直方向であると共に支持部３の延出方向に対し略鉛直方向となるように基部２から延出している一方で、装着部４の延出方向の端部から装着部５の延出方向の端部までの寸法は、柱状体１０の直径の寸法と同じか、柱状体１０の直径の寸法よりも小さくなっている。そして、装着部４、５には、支持部３の延出方向と略同じ方向、すなわち柱状体１０と対峙する側から柱状体１０とは反対側に延びる貫通孔７、７が形成されている。
【００２２】
根かせ１と柱状体１０とを固定するための固定手段の一例として、図２に示される固定部材１２が用いられている。この固定部材１２は、帯状部１３と、この帯状部１３の端部から直線状に延出した延出部１４と、この延出部１４の延出方向先端から当該延出部１４の延出方向に対し例えば直角方向等の所定の角度の方向に延出した当接部１７とを有して構成されている。
【００２３】
このうち、帯状部１３は、柱状体１０の周囲にその内側面の全面を接して巻き付けるためのもので、柱状体１０の軸方向から見て円弧形状をなしている。そして、この円弧の比率は、半円の円弧よりも大きくいもので、例えば４分の３強の円弧の比率となっている。また、延出部１４の延出方向に沿った寸法は、根かせ１の受け部６を柱状体１０の周面に当接させた際に柱状体１０と装着部４、５との間の間隔より若干小さくなっている。そして、延出部１４同士の間隔は、根かせ１と連結した際にその間に根かせ１の受け部６が配されるように、根かせ１の受け部６の側縁間の幅よりも大きい寸法となっている一方で、柱状体１０の直径寸法よりも小さくなっている。
【００２４】
当接部１７は、延出部１４よりも外側に向けて延出している一方で、一方の当接部１７の延出方向側端から他方の当接部１７の延出方向端までの寸法は、柱状体１０の直径寸法と同じか柱状体１０の直径寸法よりも小さくなっている。そして、この当接部１７には、延出部１４の延出方向に沿って延びる貫通孔１７ａが形成されて、この貫通孔１７ａに、棒体状の挿通部材１５が貫通可能となっている。この挿通部材１５は、この実施例では、その軸方向の両端が螺子切りされて、それぞれナット１６ａ、１６ｂが外挿可能となっている。もっとも、この挿通部材１５は、図示しないがナット１６ｂの代わりに当該ナット１６ｂと略同じ外径寸法の頭部を有するボルトとしても良い。
【００２５】
以上の構成に基づいて、根かせ１の柱状体１への固定の手順の一例について説明する。
【００２６】
まず、柱状体１の側面に固定部材１２の帯状部１３について、当該帯状部１３の内側面が柱状体１の側面に当接するように装着する。次に、根かせ１について、装着部４、５の貫通孔７と固定部材１２の当接部１７の貫通孔１７ａとが一致するようにして、装着部４、５を固定部材１２の当接部１７に当接させる。更に、挿通部材１５を装着部４又は５の貫通７と当接部１７の貫通孔１７ａとに貫通させた後、ボルト１６ａ、１６ｂを挿通部材１５に外挿し、回転させることで、装着部４又は５と当接部１７、ひいては根かせ１と固定部材１２とが締結され、これにより、根かせ１は、この固定部材１２を介して柱状体１に固定されることにもなる。
【００２７】
そして、この根かせ１が固定部材１２を介して柱状体１に固定された態様において、図４に示されるように、根かせ１も、固定部材１２も、柱状体１の円周に接し且つ根かせ１の支持部３の延出方向に沿った仮想線を、柱状体１を挟む形で引いた場合でも、この仮想線に対し柱状体１とは反対側には出る部位を有しない。すなわち、根かせ１が固定部材１２を介して柱状体１に固定された態様は、柱状体１の略直径の幅以内に収められる。
【００２８】
このため、この根かせ１を使用する柱状体１について、２つのブロック塀で囲まれた敷地の隅となる領域、２つの擁壁に挟まれた端側となる領域に対し、２つのブロック塀が交差する角の位置、２つの擁壁が交差する角の位置に相対的に近接させて建柱することが可能となる。また、並行に延びる２つのブロック塀で挟まれた狭間の領域でも、その幅が柱状体１に対し略同じか若干大きい寸法であれば建柱することが可能となる。これにより、電柱に対し、できるだけ人や乗物の通行、他の建物、樹木等の妨げとならない場所に配置するという要請に、従来の根かせよりも応えることができる。
【００２９】
その一方で、この図１に示す根かせ１の構造によれば、図５に示されるように、２つの根かせ１を、柱状体１の軸方向に沿ってずらしつつ、各根かせ１の支持部３同士が柱状体１を中心として対称方向に延びる配置となるように固定することで、従来の２つの支持部が対称方向に延出した単体の根かせと同様の用い方をすることができる。この用い方においても、２つの根かせ１について固定部材１２を介して柱状体１に固定した態様で、柱状体１の円周に接し且つ根かせ１の支持部３の延出方向に沿った仮想線を、柱状体１を挟む形で引いた場合に、根かせ１も、固定部材１２も、この仮想線に対し柱状体１とは反対側には出る部位を有しないものである。
【００３０】
よって、並行に延びる２つのブロック塀で挟まれた狭間の領域でも、その幅が柱状体１に対し略同じか若干大きい寸法であれば建柱することが可能となる。これにより、電柱等の柱状体に対し、できるだけ人や乗物の通行、他の建物、樹木等の妨げとならない場所に配置するという要請に、従来の根かせよりも応えることができる。
【００３１】
また、この図１に示す根かせ１の構造によれば、図６に示されるように、２つの根かせを、柱状体１の軸方向に沿ってずらしつつ、各根かせ１の支持部３が柱状体１の中心点を基点として直角方向に延びる配置となるように固定することで、２つの支持部がＬ字状に延出した単体の根かせと同様の用い方をすることができる。この用い方では、柱状体１の円周にそれぞれ接しつつ直角に交差する２つの仮想線を引いた場合に、一方の根かせ１及び固定部材１２は、一方の仮想線に対し柱状体１とは反対側には出る部位を有さず、他方の根かせ１及び固定部材１２も、他方の仮想線に対し柱状体１とは反対側には出る部位を有さないものである。
【００３２】
よって、２つのブロック塀が直交するかたちで囲まれた敷地の隅となる領域、２つの直交する擁壁に挟まれた端側となる領域において、２つの支持部３よりも柱状体１０の方が２つのブロック塀が交差する角の位置、２つの擁壁が交差する角の位置側となるように、柱状体１を相対的に近接させて建柱することが可能となる。これにより、電柱に対し、できるだけ人や乗物の通行、他の建物、樹木等の妨げとならない場所に配置するという要請に、従来の根かせよりも応えることができる。
【実施例２】
【００３３】
図７から図９において、この発明の実施例２が示されている。但し、先の実施例１と同様の構成については、実施例１と同じ符号を付してその説明を省略する。
【００３４】
根かせ１は、図９に示されるように実施例１に示される根かせ１と略同じ形態のものを根かせ本体１ａとするものである。すなわち、根かせ本体１ａは、例えばコンクリートで形成されたもので、受け部６を有する１の基部２と、基部２に対し受け部６側とは反対側から延出した１の支持部３と、受け部６の両側縁近傍部位から延出した２つの装着部４、５とで基本的に構成されている。また、装着部４の延出方向端から装着部５の延出方向端までの寸法は、柱状体１の直径寸法と同じかこれよりも小さくなっている。そして、根かせ１は、図９に示されるように、後述する挿通部材２１が挿通可能な貫通孔２３が、受け部６を柱状体１に当接した際に柱状体１の軸方向に沿って延びるように形成されている。
【００３５】
その一方で、根かせ１は、図７及び図８に示されるように、根かせ本体１ａに対し、柱状体１に受け部６を当接した際に柱状体１の軸方向と対峙する面に補助具１９ａ、１９ｂが、挿通部材２１、ナット２２を介して取り付けられることで、柱状体１の軸方向の両側に向けて突出した突起部を有した構成となっている。
【００３６】
柱状体１０の軸方向の上方に配置される補助具１９は、根かせ本体１ａのうち基部側及び支持部３の基部側部位に当接する底面と、柱状体１の側面と隙間なく当接することが可能な湾状の当接面１９ａと、支持部３の基部側部位から基部２を経て柱状体１側に進むに従い暫時高くなるように傾斜した傾斜面と、基部２及び支持部３の基部側部位から立ち上がった２つの側面とで構成された略三角柱状のものである。そして、この補助具１９は、略横倒しの三角柱状の切欠き溝１９ｂが形成されており、この切欠き溝１９ｂのうち図８に示されるように柱状体１０の軸方向から見た際に表れる面から前記底面にかけて柱状体１０の軸方向に沿って延びる貫通孔２０が形成されている。
【００３７】
柱状体１０の軸方向の下方に配置される補助具１９は、根かせ本体１ａのうち基部側及び支持部３の基部側部位に当接する底面と、柱状体１の側面と隙間なく当接することが可能な湾状の当接面１９ａと、支持部３の基部側部位から基部２を経て柱状体１側に進むに従い暫時高くなるように傾斜した傾斜面と、基部２及び支持部３の基部側部位から立ち上がった２つの側面とで構成された略三角柱状である点では上記した補助具１９と同様である。その一方で、この補助具１９は、切欠き１９ｂを有さず、ボルト２１の頭部２１ｂと略同じ外形状の切欠き１９ｃが傾斜面側から形成されて、通孔２０と連通したものとなっている。
【００３８】
挿通部材２１は、例えば、貫通孔２０の内径寸法と略同じ外径寸法であると共に螺子切りされた円棒状部２１ａと、この円棒状部２１の長手方向の端部において形成された、貫通孔２０の内径寸法よりも大きな外径寸法の頭部２１ｂとで構成されたボルトであり、円棒状部２１ａの長手方向寸法は、根かせ本体１ａの貫通孔２３及び２つの補助具１９の貫通孔２０、２０の総和よりも大きなものとなっている。図７乃至図９において符号２２で示されるものは、挿通部材２１に外挿されるナットである。
【００３９】
これにより、図９に示されるように、例えば、補助具１９、１９を、各補助具１９の貫通孔２０と根かせ本体１ａの貫通孔２３とが連通するように、根かせ本体１ａに取り付けた後、挿通部材２１の円棒状部２１ａを、柱状体１０の軸方向の下方側から、下方の補助具１９の貫通孔２０、根かせ本体１ａの貫通孔２３、上方の補助具１９の貫通孔２０へと貫通させて、上位の補助具１９の切欠き溝１９ｂ内に露出させる。このとき、挿通部材２１の頭部２１ｂは下方の補助具１９の切欠き１９ｃ内に納まって、挿通部材２１自体の回転が規制される。しかるに、この補助具１９の切欠き溝１９ｂ内に露出した挿通部材２１の部分にナット２２を外挿して、当該ナット２２を回転させることにより、上方の補助具１９、下方の補助具１９と根かせ本体１ｂとが連結、固定されて根かせ１が組み付けられる。そして、この補助具１９により、根かせ１は柱状体１への固定時に柱状体１の軸方向の両側に突出した突起部を有する構成となることから、柱状体１が外部からの力の作用等によって傾倒するのを防止することが可能である。
【実施例３】
【００４０】
図１０及び図１１において、この発明の実施例３が示されている。但し、先の実施例１、２と同様の構成については、実施例１、２と同じ符号を付してその説明を省略し、特徴のある構成について主に説明する。
【００４１】
この根かせ１の基本的な構成は実施例１の根かせ１と同様であり、受け部６を有する１の基部２と、基部２に対し受け部６側とは反対側から延出した１の支持部３と、受け部６の両側縁近傍部位から延出した２つの装着部４、５とで基本的に構成され、これら装着部４の延出方向端から装着部５の延出方向端までの寸法は、柱状体１の直径寸法と同じかこれよりも小さくなっている。    
【００４２】
その一方で、この実施例３における根かせ１は、柱状体１への固定時に柱状体１の軸方向の両側に突出した突起部２５を有している。この突起部２５は先の実施例２の補助具１９とは異なり、基部２及び支持部３と一体形成されている。そして、この突起部２５は、受け部６が柱状体１の側面に当接した際に同時に柱状体１の側面と隙間なく当接する湾状の当接面２５ａを有すると共に、この当接面２５ａから支持部３の延出方向の先端まで延びるもので、基部２及び支持部３の面に向けて暫時近接する方向に傾斜しながら、その延長方向に沿った両縁も当該延長方向の途中までは相互に近接し、その後は並行になる形態をなしている。従って、このような構成の突起部２５を根かせ１が有することで、柱状体１が外部からの力の作用等によって傾倒するのを防止することが可能である。
【実施例４】
【００４３】
図１２及び図１３において、この発明の実施例４が示されている。但し、先の実施例１から実施例３と同様の構成については、実施例１から実施例３と同じ符号を付してその説明を省略し、特徴のある構成について主に説明する。
【００４４】
この根かせ１は、その基本的な構成については、これまでの根かせ１と同様である。すなわち、この根かせ１も、受け部６を有する１の基部２と、基部２に対し受け部６側とは反対側から延出した１の支持部３と、受け部６の両側縁近傍部位から延出した２つの装着部４、５とで基本的に構成され、これら装着部４の延出方向端から装着部５の延出方向端までの寸法は、柱状体１の直径寸法と同じかこれよりも小さくなっている。  
【００４５】
その一方で、この根かせ１は、図１２及び図１３に示されるように、基部２及び支持部３の基部側部位と一体形成された突起部２６を有しており、この突起部２６は、受け部６が柱状体１の側面に当接した際に同時に柱状体１の側面と隙間なく当接する湾状の当接面２６ａを有すると共に、この当接面２５ａから支持部３の基部近傍部位まで延びるもので、基部２及び支持部３の面に向けて暫時近接する方向に傾斜しながら、その延長方向に沿った両縁も終端まで相互に近接した形態となっている。従って、このような構成の突起部２５を根かせ１が有することで、柱状体１が外部からの力の作用等によって傾倒するのを防止することが可能である。
【図面の簡単な説明】
【００４６】
【図１】図１は、この発明に係る根かせのうち実施例１の構成を示した説明図であり、図１（Ａ）は、同上の根かせについて電柱等の柱状体の軸方向の上側から見た状態を示す平面図、図１（Ｂ）は、同上の根かせについて受け部を有する側から見た状態を示す正面図、図１（Ｃ）は同上の根かせについて電柱等の柱状体の径方向の一方側から見た状態を示す側面図である。
【図２】図２は、この発明に係る実施例１乃至４のいずれの根かせにも使用される根かせと柱状体との固定部材の構成を示した説明図であり、図２（Ａ）は、同上の固定部材について電柱等の柱状体の軸方向の上側から見た状態を示す平面図、図２（Ｂ）は同上の固定部材について電柱等の柱状体の径方向の一方側から見た状態を示す側面図である。
【図３】図３は、図１に示される実施例１の根かせを、図２に示される固定部材を用いて電柱等の柱状体に固定した状態について示す斜視図である。
【図４】図４は、図１に示される実施例１の根かせを、図２に示される固定部材を用いて電柱等の柱状体に固定した構成について、柱状体の軸方向から見た状態を示す斜視図である。
【図５】図５は、図１に示される実施例１の根かせを、柱状体を中心として対称的に配置した構成について、柱状体の軸方向から見た状態を示す斜視図である。
【図６】図６は、図１に示される実施例１の根かせを、柱状体を中心として直角に交差するように配置した構成について、柱状体の軸方向から見た状態を示す斜視図である。
【図７】図７は、この発明に係る実施例２の根かせを、図２に示される固定部材を用いて電柱等の柱状体に固定した状態について示す斜視図である。
【図８】図８は、同上の実施例２の根かせを、図２に示される固定部材を用いて電柱等の柱状体に固定した構成について、柱状体の軸方向から見た状態を示す斜視図である。
【図９】図９は、同上の実施例２の根かせを構成する補助具を、同上の実施例２の根かせを構成する根かせ本体に取り付ける工程について示す工程図である。
【図１０】図１０は、この発明に係る実施例３の根かせを、図２に示される固定部材を用いて電柱等の柱状体に固定した状態について示す斜視図である。
【図１１】図１１は、同上の実施例３の根かせを、図２に示される固定部材を用いて電柱等の柱状体に固定した構成について、柱状体の軸方向から見た状態を示す斜視図である。
【図１２】図１２は、この発明に係る実施例４の根かせを、図２に示される固定部材を用いて電柱等の柱状体に固定した状態について示す斜視図である。
【図１３】図１３は、同上の実施例４の根かせを、図２に示される固定部材を用いて電柱等の柱状体に固定した構成について、柱状体の軸方向から見た状態を示す斜視図である。
【符号の説明】
【００４７】
１  根かせ
１ａ  根かせ本体
２  基部
２ａ  受け部が形成された面
３  支持部
４  装着部
５  装着部
６  受け部
７  貫通孔
１０  柱状体
１２  固定部材
１３  帯状部
１４  延出部
１５  挿通部材
１６a  ナット
１６ｂ  ナット
１７  当接部
１７ａ  貫通孔
１９  補助具
１９ａ  当接面
２０  貫通孔
２１  挿通部材
２２  ナット
２３  貫通孔
２５  突起部
２５ａ  当接面
２６  突起部
２６ａ  当接面
【図１】
0005052328.tif 000002
【図２】
0005052328.tif 000003
【図３】
0005052328.tif 000004
【図４】
0005052328.tif 000005
【図５】
0005052328.tif 000006
【図６】
0005052328.tif 000007
【図７】
0005052328.tif 000008
【図８】
0005052328.tif 000009
【図９】
0005052328.tif 000010
【図１０】
0005052328.tif 000011
【図１１】
0005052328.tif 000012
【図１２】
0005052328.tif 000013
【図１３】
0005052328.tif 000014